(57)【特許請求の範囲】
【請求項１】
前面に棚受けブラケット取付用の縦長孔を上下に亘って間隔を設けて穿設されている左右１対の支柱を水平杆をもって連結してなる陳列棚を、２台背中合わせの状態で連結配置し、かつこれら前部陳列棚及び後部陳列棚と同様の側部陳列棚を、前部陳列棚及び後部陳列棚の側面に、それと直交して配置した陳列棚の連結装置であって、
前記側部陳列棚の上部の水平杆と、前部陳列棚及び後部陳列棚の各支柱の上部とを上部連結金具によって着脱可能に連結し、かつ側部陳列棚の水平杆に上方から係合する下向きコ字状の水平係合部と、前記前部陳列棚及び後部陳列棚のうち、いずれか一方の陳列棚の支柱の前面に設けた棚受けブラケット取付用の縦長孔に係合しうる係合爪を遊端に有する後ろ向きコ字状の垂直係合部とを有する下部連結金具によって、前記側部陳列棚における水平杆と、前記前部陳列棚及び後部陳列棚のうち、少なくとも一方の陳列棚の支柱とを、着脱可能に連結するようにしたことを特徴とする陳列棚の連結装置。
【請求項２】
下部連結金具における水平係合部とその遊端における下向係止片を、連結時に、側部陳列棚の水平杆に当接させるようにした請求項１記載の陳列棚の連結装置。
【請求項３】
下部連結金具における水平係合部の遊端に、側部陳列棚の水平杆の上面に穿設した係止孔に係合可能な下向係止片を形成した請求項１記載の陳列棚の連結装置。
【発明の詳細な説明】
【０００１】
【発明の属する技術分野】
本発明は、隣接配置された陳列棚同士を連結するための連結装置に関する。
【０００２】
【従来の技術】
スーパーマーケット等では、商品を展示販売する際に、２台の陳列棚を背中合わせにして設置したりする場合が多い。このように、２台以上の陳列棚を隣接して設置する際には、安全上または強度上の観点から、隣接する陳列棚同士を連結装置によって連結することが行われる。
【０００３】
陳列棚同士を連結する連結装置として、特開平９−２６６８３３号公報記載のものが公知になっている。
【０００４】
この連結装置は、下向きコ字状に開口する嵌合部を、隣接配置した各陳列棚の水平杆に上方から嵌合させることによって、陳列棚同士を連結するようにしている。
【０００５】
【発明が解決しようとする課題】
しかし、前記連結装置は、水平杆に対して下向きに開口している嵌合部を、単に上方から嵌合させただけであるので、連結装置自体が水平杆から外れやすく、したがって、連結強度が十分とは言えず、安全性に問題がある。
【０００６】
本発明は、従来の技術が有する上述のような問題点に鑑みてなされたもので、隣接して配置された陳列棚同士を強固に連結することができる連結装置を提供することを目的とする。
【０００７】
【課題を解決するための手段】
本発明は、次のようにして上記課題を解決している。
(１)前面に棚受けブラケット取付用の縦長孔を上下に亘って間隔を設けて穿設されている左右１対の支柱を水平杆をもって連結してなる陳列棚を、２台背中合わせの状態で連結配置し、かつこれら前部陳列棚及び後部陳列棚と同様の側部陳列棚を、前部陳列棚及び後部陳列棚の側面に、それと直交して配置した陳列棚の連結装置であって、前記側部陳列棚の上部の水平杆と、前部陳列棚及び後部陳列棚の各支柱の上部とを上部連結金具によって着脱可能に連結し、かつ側部陳列棚の水平杆に上方から係合する下向きコ字状の水平係合部と、前記前部陳列棚及び後部陳列棚のうち、いずれか一方の陳列棚の支柱の前面に設けた棚受けブラケット取付用の縦長孔に係合しうる係合爪を遊端に有する後ろ向きコ字状の垂直係合部とを有する下部連結金具によって、前記側部陳列棚における水平杆と、前記前部陳列棚及び後部陳列棚のうち、少なくとも一方の陳列棚の支柱とを、着脱可能に連結するようにする。
【０００８】
（２）上記（１）項において、下部連結金具における水平係合部とその遊端における下向係止片を、連結時に、側部陳列棚の水平杆に当接させるようにする。
【０００９】
（３）上記（１）項において、下部連結金具における水平係合部の遊端に、側部陳列棚の水平杆の上面に穿設した係止孔に係合可能な下向係止片を形成する。
【００１０】
【発明の実施の形態】
次に、本発明に係る陳列棚の連結装置の実施形態を、添付図面を参照しながら説明する。
【００１１】
図１は、請求項１に記載した発明に係る連結装置の実施形態を示すものであって、連結される陳列棚の配置状態を示す分解斜視図である。
【００１２】
本実施形態は、背中合わせに配置された前後２台の矩形縦長枠状の前部陳列棚（１０ａ）と後部陳列棚（１０ｂ）、及びこれらの２台の陳列棚（１０ａ）（１０ｂ）の一側端に前後方向に向けて配置された同形状の側部陳列棚（１２）を、上部連結金具（１３）及び下部連結金具（１５）によって相互に連結する場合のものである。
【００１３】
陳列棚（１０ａ）（１０ｂ）（１２）は、両側の支柱（１４）（１４）同士を、複数の水平杆（１６）をもって連結してなり、支柱（１４）（１４）下端部間には、水平杆（１６）の代わりに連結パネル（１７）が取り付けられている。各支柱（１４）の下端には、棚面と直交する水平脚杆（１８）が取り付けられている。
【００１４】
支柱（１４）の前面には、棚板（１９）を支持するための棚受けブラケット（２０）取付用の縦長孔（２２）が複数個、所定間隔で上下に亘って穿設されている。
【００１５】
図２は、前部陳列棚（１０ａ）と後部陳列棚（１０ｂ）を連結する上部連結金具（１３）の斜視図である。上部連結金具（１３）は、陳列棚（１０ａ）（１０ｂ）の支柱（１４）の頂面に穿設された係止孔（２４）に係合しうる前後１対の下向係止片（１３ａ）（１３ａ）と、側部陳列棚（１２）の上部水平杆（１４ａ）に嵌合しうる前後１対の下向嵌合片（１３ｂ）（１３ｂ）とを備えている。
【００１６】
下向係止片（１３ａ）は、正面視倒立Ｌ形をなす当接片（１３ｂ）の側端より垂下し、支柱（１４）の頂部における係止孔（２４）に差し込んで係止させることによって、背中合わせに配置した前部陳列棚（１０ａ）及び後部陳列棚（１０ｂ）の支柱（１４）（１４）の頂部間を連結するようになっている。
【００１７】
下向嵌合片（１３ｂ）（１３ｂ）は、下向きコ字状に形成されるとともに、鉤状部（１３Ｃ）を介して係止片（１３ａ）と連結され、側部陳列棚（１２）の最上部の水平杆（１６）を囲むようにして嵌合し、前部陳列棚（１０ａ）と側部陳列棚（１２）間を連結するようになっている。これにより、陳列棚（１０ａ）（１０ｂ）及び側部陳列棚（１２）の頂部間が上部連結金具（１３）によって強固に連結される。
【００１８】
図３は、下部連結金具（１５）の斜視図、図４は、下部連結金具（１５）による連結状態を示す横断面図、図５は、図４のＶ−Ｖ線における縦断面図である。
【００１９】
図３に示すように、下部連結金具（１５）は、水平係合部（１５ａ）と、その一側端から垂下する垂直係合部（１５ｂ）とを有している。
【００２０】
水平係合部（１５ａ）の遊端には、短寸の下向片（１５ｃ）が設けられ、図５に示すように、水平係合部（１５ａ）を側部陳列棚（１２）の水平杆（１６）に対して上方から係合させると、水平係合部（１５ａ）は水平杆（１６）の上面に、下向片（１５ｃ）は水平杆（１６）の外側面に当接するようになっている。
【００２１】
図３に示すように、垂直係合部（１５ｂ）は、支柱（１４）の縦長孔（２２）に係合しうる上下２個の下向フック状の係合爪（１５ｄ）（１５ｄ）を、その遊端に有し、後ろ向きコ字状に形成されている。そのため、図４及び図５に示すように、下部連結金具（１５）は、係合爪（１５ｄ）（１５ｄ）によって支柱（１４）の縦長孔（２２）に確実に係合し、容易に抜けないように取り付けられる。
【００２２】
以上説明したように、本実施形態の連結装置によれば、隣接配置された陳列棚同士を、上部連結金具（１３）及び下部連結金具（１５）の２箇所で連結するようにしているため、連結強度を高めることができ、安全性が向上する。
しかも、下部連結金具（１５）の垂直係合部（１５ｂ）は、フック状の係合爪（１５ｄ）（１５ｄ）によって支柱（１４）に取り付けられるため、容易に抜けることがなく、陳列棚同士をより強固に連結することができる。
【００２３】
次に、下部連結金具の変形例について説明する。なお、前述した下部連結金具（１５）と同様の点については、同一の符号を付し、重複する説明を省略する。
【００２４】
図６は、請求項３に記載した発明に係る下部連結金具（３０）の斜視図、図７は、下部連結金具（３０）による連結状態を示す横断面図、図８は、図７のＶＩＩＩ−ＶＩＩＩ線における縦断面図である。
【００２５】
下部連結金具（３０）は、垂直係合部（１５ｂ）は、前述した図３に示すものと同様であるが、水平係合部（３０ａ）の形状は相違している。
【００２６】
すなわち水平係合部（３０ａ）は、図６及び図７に示すように、垂直係合部（１５ｂ）と一体をなす垂直支片（３０ｂ）の下端に短寸の水平外向片（３０ｃ）を設け、その遊端前後に下向係止片（３０ｄ）（３０ｄ）を設けて形成されている。
【００２７】
そのため、垂直係合部（１５ｂ）については、前述した実施形態と同様に、支柱（１４）の縦長孔（２２）に係合し、一方、水平係合部（３０ａ）の下向係止片（３０ｄ）は、側部陳列棚（１２）の水平杆（１６）の係止孔（３２）に係合し、これにより、側部陳列棚（１２）が、背中合わせに配置された前部陳列棚（１０ａ）及び後部陳列棚（１０ｂ）のうち、いずれか一方と連結される。
【００２８】
また、背中合わせに配置された陳列棚（１０ａ）（１０ｂ）と、側部陳列棚（１２）とは、前述した上部連結金具（１３）によっても連結されるため、各陳列棚（１０ａ）（１０ｂ）（１２）は、相互間で強固に連結配置されるようになる。
【００２９】
このように、本実施形態によれば、陳列棚（１０）と側部陳列棚（１２）とを連結する下部連結金具（３０）の水平係合部（３０ａ）を、その水平外向片（３０ｃ）の遊端における下向係止片（３０ｄ）を係止孔（３２）に係合させることによって連結するようにしている。そのため、第１の実施形態のものに比して、下向係止片（３０ｄ）は側部陳列棚（１２）の水平杆（１６）より外れにくく、前部陳列棚（１０ａ）または後部陳列棚（１０ｂ）と、側部陳列棚（１２）との連結強度が向上する。
【００３０】
【発明の効果】
本発明によれば、次のような効果を奏することができる。
（ａ）請求項１及び２記載の発明によれば、下部連結金具の垂直係合部に、前後に配置された前部陳列棚及び後部陳列棚のうち、一方の陳列棚の支柱の縦長孔に係合する係合爪を形成してあるので、垂直係合部が縦長孔から容易に抜けることはなく、前後に配置されている陳列棚と、側部陳列棚とを強固に連結することができる。
【００３１】
（ｂ）請求項３の発明によれば、下部連結金具の水平係合部の遊端に、側部陳列棚の水平杆の上面に穿設した係止孔に係合しうる下向係止部を設けてあるので、側部陳列棚と、前部陳列棚または後部陳列棚とが強固に連結され、安全性が高まる。
【図面の簡単な説明】
【図１】本発明に係る陳列棚の連結装置の一実施形態を示し、かつ連結される陳列棚の配置状態を示す分解斜視図である。
【図２】前部陳列棚と後部陳列棚を連結する上部連結金具の斜視図である。
【図３】同じく下部連結金具の斜視図である。
【図４】下部連結金具による連結状態を示す横断面図である。
【図５】図４のＶ−Ｖ線に沿った縦断面図である。
【図６】下部連結金具の変形例の斜視図である。
【図７】図６に示す下部連結金具による連結状態を示す横断面図である。
【図８】図７のＶＩＩＩ−ＶＩＩＩ線に沿った縦断面図である。
【符号の説明】
（１０ａ）前部陳列棚
（１０ｂ）後部陳列棚
（１２）側部陳列棚
（１３）上部連結金具
（１３ａ）下向係止片
（１３ｂ）下向嵌合片
（１３ｃ）当接片
（１４）支柱
（１５）下部連結金具
（１５ａ）水平係合部
（１５ｂ）垂直係合部
（１５ｃ）下向片
（１５ｄ）係合爪
（１６）水平杆
（１７）連結パネル
（１８）脚杆
（１９）棚板
（２０）棚受けブラケット
（２２）縦長孔
（２４）係止孔
（３０）下部連結金具
（３０ａ）水平係合部
（３０ｂ）垂直支片
（３０ｃ）水平外向片
（３０ｄ）下向係止片
（３２）係止孔
【図１】
0003584432.tif 000002
【図２】
0003584432.tif 000003
【図３】
0003584432.tif 000004
【図４】
0003584432.tif 000005
【図５】
0003584432.tif 000006
【図６】
0003584432.tif 000007
【図７】
0003584432.tif 000008
【図８】
0003584432.tif 000009